【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】  一対の透明なガラスまたはプラスティックスのシート（５、９）から成るエレクトロクロミック・コントラスト板（６）であり、該シートは片側にそれぞれ伝導性の透明な被膜（７、８）を備え、該シートはその伝導性の被膜の側において密封用のリングを介して互いに連結され、該２枚のシートおよび該密封用のリングによってつくられる容積はエレクトロクロミック媒質（１０）によって充填されているエレクトロクロミック・コントラスト板（６）において、該エレクトロクロミック媒質（１０）が液体、ゲルまたは重合体であることを特徴とするエレクトロクロミック・コントラスト板。
【請求項２】  請求項１記載の本発明のエレクトロクロミック・コントラスト板およびスクリーンを含む装置において、該コントラスト板は共通のシートを介してスクリーンに連結されていることを特徴とする装置。
【請求項３】  式
【化４】
2002540486.tif 000001
但し式中
Ｄ、ＥおよびＦはオリゴマーまたは重合体の重合鎖の成分であって、その場合Ｄ、ＥおよびＦは不規則に分布しているかブロックになっていることができ、
Ｂ1およびＢ2は架橋単位であり、
ＹおよびＺは互いに独立に基ＯＸ2またはＲＥＤ1であり、
ここでＯＸ2は電気化学的に可逆的な還元が可能な酸化還元系の基であり、
ＲＥＤ1は電気化学的に可逆的な酸化が可能な酸化還元系の基であり、
ｆ、ｇおよびｈは互いに独立に１〜１００，０００、特に１〜１０，０００の整数であり、ここで
ｆ＋ｇ＋ｈ  ＞  ２であり、
またｆおよびｈは互いに独立に０であることもでき、
ｉおよびｊは互いに独立に１〜１００、特に１〜１０の整数である、
を有することを特徴とするエレクトロクロミック特性をもった側鎖オリゴマーまたは重合体。
【手続補正２】
【補正対象書類名】明細書
【補正対象項目名】０１４１
【補正方法】変更
【補正の内容】
【０１４１】
図３Ａおよび３Ｂはそれぞれ一体となったタッチ・スクリーンをもったＥＣコントラスト板３６の平面図および側面図である。ＥＣコントラスト板はコントラスト機能を有する区域３１０とタッチ・スクリーンとして機能する区域３１１に分割されている。ＥＣコントラスト板３６は分離したユニットとしてスクリーン３の前方に配置されている。ＥＣコントラスト板３６の底の区域はスクリーン３の区域よりも大きい。スクリーンの区域を越えて突き出したＥＣコントラスト板の部分はタッチ・スクリーン３１１としての役目をする。ＥＣコントラスト板３６は支持板３２と外板３１とから成っている。コントラストの機能およびタッチ・スクリーンとしての機能に対応して分離した区域３１０および３１１に分割された電気伝導性の透明な被膜３３ａが外板３１の上に配置されている。支持板３２および外板３１は周辺部の密封用のリング３４によって連結されてセルをつくり、このセルの中に媒質３５が入れられている。外板３１は光源３１３によってその面が照射される。光検出器３７が増幅器３８と出力用の接点３９と共に支持板３２の所に取付られている。
本発明の好適な実施態様は次のとおりである。
１．  一対の透明なガラスまたはプラスティックスのシート（５、９）から成るエレクトロクロミック・コントラスト板（６）であり、該シートは片側にそれぞれ伝導性の透明な被膜（７、８）を備え、該シートはその伝導性の被膜の側において密封用のリングを介して互いに連結され、該２枚のシートおよび該密封用のリングによってつくられる容積はエレクトロクロミック媒質（１０）によって充填されているエレクトロクロミック・コントラスト板（６）において、該エレクトロクロミック媒質（１０）が液体、ゲルまたは重合体であることを特徴とするエレクトロクロミック・コントラスト板。
２．  該エレクトロクロミック媒質は少なくとも一対のエレクトロクロミック特性を有する酸化可能なまたは還元可能な物質ＯＸ2およびＲＥＤ1を含んでいることを特徴とする上記１記載のエレクトロクロミック・コントラスト板。
３．  （ａ）還元可能な物質はサイクリック・ボルタンモグラムにおいて少なくとも一つ、好ましくは少なくとも二つの化学的な可逆的還元波を有し、酸化可能な物質はそれに対応して少なくとも一つ、好ましくは二つの化学的な可逆的酸化波をもっており、
（ｂ）該還元可能な物質および酸化可能な物質は架橋Ｂを介して互いに共有結合的に結合しているか、或いは
（ｃ）選ばれた還元可能な物質および／または酸化可能な物質は、σ−結合の切断または生成を伴い酸化可能な形から還元可能な形へと或いはその逆の可逆的な転移を行なう物質であるか、或いはまた
（ｄ）該還元可能な物質および／または酸化可能な物質は少なくとも二つの酸化状態で存在する金属の塩または金属の錯体であるか、或いはまた
（ｅ）該還元可能な物質および／または酸化可能な物質は、上記（ａ）〜（ｄ）で定義したような少なくとも１種の酸化還元系を含むか、またはそのような酸化還元系の対を含んでいるオリゴマーまたは重合体であるか、或いはまた
（ｆ）使用される該還元可能な物質および／または酸化可能な物質は上記（ａ）〜（ｅ）の混合物であって該混合物は少なくとも一つの還元可能な酸化還元系および少なくとも一つの酸化可能な酸化還元系を含んでいるエレクトロクロミック媒質を使用することを特徴とする上記１または２記載のエレクトロクロミック・コントラスト板。
４．  該エレクトロクロミック媒質は式
【化１】
2002540486.tif 000002
但し式中
ＹおよびＺは互いに独立に基ＯＸ2またはＲＥＤ1であり、
ここにＯＸ2は電気化学的に可逆的な還元が可能な酸化還元系の基であり、
ＲＥＤ1は電気化学的に可逆的な酸化が可能な酸化還元系の基であり、
Ｂは架橋単位であり、
ｃは０〜１０００の整数であり、
ａおよびｂは互いに独立に０〜１００の整数であるか、或いは式
【化２】
2002540486.tif 000003
但し式中、
Ｄ、ＥおよびＦはオリゴマーまたは重合体の重合鎖の成分であって、その場合Ｄ、ＥおよびＦは不規則に分布しているかブロックになっていることができ、
Ｂ1およびＢ2は架橋単位であり、
ＹおよびＺは互いに独立に基ＯＸ2またはＲＥＤ1であり、
ここにＯＸ2は電気化学的に可逆的な還元が可能な酸化還元系の基であり、
ＲＥＤ1は電気化学的に可逆的な酸化が可能な酸化還元系の基であり、
ｆ、ｇおよびｈは互いに独立に１〜１００，０００、特に１〜１０，０００の整数であり、ここで
ｆ＋ｇ＋ｈ  ＞  ２であり、
またｆおよびｈは互いに独立に０であることもでき、
ｉおよびｊは互いに独立に１〜１００、特に１〜１０の整数である、を有するエレクトロクロミック特性をもったオリゴマーまたは重合体を含んでいることを特徴とする請求項１〜３記載のエレクトロクロミック・コントラスト板。
５．  該エレクトロクロミック媒質は式
【化３】
2002540486.tif 000004
但し式中
ｆは０〜１０，０００の整数、
ｇおよびｈは互いに独立に１〜１０，０００、好ましくは１〜１０００、特に好ましくは１〜１００の整数であり、
他の基は上記１に定義した基であるが、
ここでＯＸ2および／またはＲＥＤ1は、特にｇおよび／またはｈが１より大きい場合には、各反復単位中において異なった意味をもつことができる、
を有するエレクトロクロミック特性をもった側鎖オリゴマーまたは重合体を含むことを特徴とする上記４記載のエレクトロクロミック・コントラスト板。
６．  エレクトロクロミック媒質は、Ｄが式
−ＣＨＹ10−ＣＨＹ11−            （ＣＬＸＸＩ）
であり、
ＥおよびＦは互いに独立に式
−ＣＨＹ12−ＣＨＹ13−              （ＣＬＸＸＩＩ）
を表し、ここで
Ｙ10およびＹ12は互いに独立に水素、またはＣ1−〜Ｃ4−アルキル、
Ｙ11は水素、ハロゲン、Ｃ1−〜Ｃ4−アルキル、アリール、または−ＣＯＯ−Ｃ1−〜Ｃ8−アルキルであり、
Ｙ13は直接結合か、またはＢ1およびＢ2に対する式−Ｏ−、−ＣＯ−Ｏ−、−ＣＯ−ＮＨ−または−Ｃ6Ｈ4−をもつ架橋であるエレクトロクロミック特性をもった側鎖オリゴマーまたは重合体を含むことを特徴とする上記４または５記載のエレクトロクロミック・コントラスト板。
７．  伝導性の被膜に電圧をかけた際Ｃ．Ｉ．Ｅ．三角形におけるエレクトロクロミック物質の色座標（ｘ，ｙ）が０．３〜０．３７、好ましくは０．３１〜０．３５の範囲にあることを特徴とする上記１〜６のいずれか１項記載のエレクトロクロミック・コントラスト板。
８．  かけた電圧の強さの変化により可視領域におけるエレクトロクロミック層の透過度が変化することを特徴とする上記１〜７のいずれか１項記載のエレクトロクロミック・コントラスト板。
９．  エレクトロクロミック層の最低透過度は２５％より小さいことを特徴とする上記１〜８のいずれか１項記載のエレクトロクロミック・コントラスト板。
１０．  エレクトロクロミック層の最高透過度は７０％より大きいことを特徴とする上記１〜９のいずれか１項記載のエレクトロクロミック・コントラスト板。
１１．  伝導性の被膜に電圧をかけた際、５分より、好ましくは１分より短い時間以内にエレクトロクロミック層の透過度が変化することを特徴とする上記１〜１０のいずれか１項記載のエレクトロクロミック・コントラスト板。
１２．  上記１〜１０のいずれか１項記載の本発明のエレクトロクロミック・コントラスト板およびスクリーンを含む装置において、該コントラスト板は共通のシートを介してスクリーンに連結されていることを特徴とする装置。
１３．  上記１〜１１のいずれか１項記載のエレクトロクロミック・コントラスト板がスクリーン（３）の区域よりも大きい基質面積をもち、該エレクトロクロミック・コントラスト板（３６）の外側のシート（外板）（３１）の少なくとも一つの面の所で、光が外板（３１）に入ってそれを照射するように照射源（３１３）が配置され、内側のシート（支持板）（３２）の所ではスクリーンの区域（３）を越えて突き出した区域において光検出器（３７）が配置され、該支持板が該スクリーンの区域（３）を越えて突き出している場合、その光を感知する立体角の中に支持板（３２）の一部またはすべてが配置されていることを特徴とする一体となったタッチ・スクリーン（３６）を備えたエレクトロクロミック・コントラスト板。
１４．  伝導性の透明な被膜はエレクトロクロミック・コントラスト板のシートの少なくとも一つによって構成されていることを特徴とする上記１３記載の一体となったタッチ・スクリーンを備えたエレクトロクロミック・コントラスト板。
１５．  支持板は、主として可視光を反射るが照射源によって放射される光りに対しては主として透明である被膜をもっていることを特徴とする上記１３または１４記載の一体となったタッチ・スクリーンを備えたエレクトロクロミック・コントラスト板。
１６．  支持板は、照射源からの光に対して透明な区域を、好ましくは光検出器の光を感知する立体角の区域の中心においてもった被膜を有していることを特徴とする上記１３または１４記載の一体となったタッチ・スクリーンを備えたエレクトロクロミック・コントラスト板。
１７．  外板は厚さが少なくとも０．０５ｍｍ、好ましくは少なくとも０．５ｍｍであることを特徴とする上記１３〜１６のいずれか１項記載の一体となったタッチ・スクリーンを備えたエレクトロクロミック・コントラスト板。
１８．  外板は屈折率が少なくとも１．５、好ましくは少なくとも１．６であることを特徴とする上記１３〜１７のいずれか１項記載の一体となったタッチ・スクリーンを備えたエレクトロクロミック・コントラスト板。
１９．  照射光源は６８０ｎｍより、好ましくは７８０ｎｍより、特に好ましくは８５０ｎｍよりも長い波長の所に発光極大をもっていることを特徴とする上記１３〜１８のいずれか１項記載の一体となったタッチ・スクリーンを備えたエレクトロクロミック・コントラスト板。
２０．  外板の三つの面のうちの少なくとも一つの面および最大の面が光を反射する材料で被覆されていることを特徴とする上記１３〜１９のいずれか１項記載の一体となったタッチ・スクリーンを備えたエレクトロクロミック・コントラスト板。
２１．  使用される光を反射する材料は金、銀、銅、ニッケルまたはアルミニウムであり、該被膜は蒸着、スパッタリング、ＣＶＤまたは金属被覆フィルムの貼り付けによってつくられることを特徴とする上記２０記載の一体となったタッチ・スクリーンを備えたエレクトロクロミック・コントラスト板。
２２．  スクリーンの区域から突き出した支持板の部分に多数の光検出器が取付られ、光検出器に対して明確に帰属される外板の一定の領域が各光検出器の光を感知する立体角の中に存在することを特徴とする上記１３〜２１のいずれか１項記載の一体となったタッチ・スクリーンを備えたエレクトロクロミック・コントラスト板。
２３．  電気信号を処理するユニットが各光検出器の後に存在していることを特徴とする上記１３〜２２のいずれか１項記載の一体となったタッチ・スクリーンを備えたエレクトロクロミック・コントラスト板。
２４．  式
【化４】
2002540486.tif 000005
但し式中
Ｄ、ＥおよびＦはオリゴマーまたは重合体の重合鎖の成分であって、その場合Ｄ、ＥおよびＦは不規則に分布しているかブロックになっていることができ、
Ｂ1およびＢ2は架橋単位であり、
ＹおよびＺは互いに独立に基ＯＸ2またはＲＥＤ1であり、
ここでＯＸ2は電気化学的に可逆的な還元が可能な酸化還元系の基であり、
ＲＥＤ1は電気化学的に可逆的な酸化が可能な酸化還元系の基であり、
ｆ、ｇおよびｈは互いに独立に１〜１００，０００、特に１〜１０，０００の整数であり、ここで
ｆ＋ｇ＋ｈ  ＞  ２であり、
またｆおよびｈは互いに独立に０であることもでき、
ｉおよびｊは互いに独立に１〜１００、特に１〜１０の整数である、
を有することを特徴とするエレクトロクロミック特性をもった側鎖オリゴマーまたは重合体。
２５．  式
【化５】
2002540486.tif 000006
但し式中
ｆは０〜１０，０００の整数、
ｇおよびｈは互いに独立に１〜１０，０００、好ましくは１〜１０００、特に好ましくは１〜１００の整数であり、
他の基は上記１に定義した基であるが、
ここでＯＸ2および／またはＲＥＤ1は、特にｇおよび／またはｈが１より大きい場合には、各反復単位中において異なった意味をもつことができる、
を有することを特徴とする上記２４記載のエレクトロクロミック特性をもった側鎖オリゴマーまたは重合体。
２６．  Ｄが式
−ＣＨＹ10−ＣＨＹ11−            （ＣＬＸＸＩ）
であり、
ＥおよびＦは互いに独立に式
−ＣＨＹ12−ＣＨＹ13−              （ＣＬＸＸＩＩ）
を表し、ここで
Ｙ10およびＹ12は互いに独立に水素、またはＣ1−〜Ｃ4−アルキル、
Ｙ11は水素、ハロゲン、Ｃ1−〜Ｃ4−アルキル、アリール、または−ＣＯＯ−Ｃ1−〜Ｃ8−アルキルであり、
Ｙ13は直接結合か、またはＢ1およびＢ2に対する式−Ｏ−、−ＣＯ−Ｏ−、−ＣＯ−ＮＨ−または−Ｃ6Ｈ4−をもつ架橋であることを特徴とする上記２４または２５記載のエレクトロクロミック特性をもった側鎖オリゴマーまたは重合体。